(57)【特許請求の範囲】
【請求項１】
縦桟材と横桟材を格子状に枢支連結して縦桟材に対する横桟材の傾きを可変としたフェンス本体を形成し、平行に立設した支柱の一側に受け金具を回動可能に定着し、横桟材の傾きに合わせて受け金具を回動すると共に、受け金具を横桟材の下部に係合してフェンス本体を支柱に取付けた傾斜地用フェンスにおいて、円弧状の回動規制ガイドを受け金具に形成し、両側に支柱の側面と係合する回り止め片と、回動規制ガイドに係合する係合部を形成した回転防止金具を受け金具と共に支柱に定着し、横桟材が水平状態として支柱に取付けられる状態から最大傾斜して支柱に取付けられる状態の範囲内に受け金具の回動範囲を規制したことを特徴とする傾斜地用フェンス。
【発明の詳細な説明】
【０００１】
【発明の属する技術分野】
この発明は、隣地境界線あるいは遊歩道の側部等に設置されるフェンスであって、施工作業を簡素化し、傾斜地での施工に適した傾斜地用フェンスに関するものである。
【０００２】
【従来の技術】
従来、縦桟材と横桟材の交差部を枢支連結し、縦桟材に対する横桟材の交差角度を可変としたフェンス本体を形成し、施工場所に平行状に立設した支柱の側面に受け金具を定着し、受け金具に横桟材を係合してフェンス本体を支柱に定着した傾斜地用フェンスが知られている。このような傾斜地用フェンスは、施工場所の傾斜角度に合わせて、縦桟材に対する横桟材の傾斜角度を調整し、横桟材を隣接する支柱の受け金具に架設し、受け金具をビス等を用いて固定することによって、フェンス本体を支柱に取付けたものである。
【０００３】
実開平１−１３０４６６号公報には、縦桟材と横桟材を格子状に配設すると共に、縦桟材と横桟材の交差部を相互回動自在に連結してフェンス本体を形成し、横桟材の下部を施工場所に立設した支柱に取付けた受け金具と係合し、フェンス本体を受け金具を介して支柱に取付けたものが開示されている。
フェンス本体を傾斜地に立設した支柱に取付ける場合、縦桟材に対する横桟材の傾斜角度を施工場所の傾きに合わせて傾斜させ、平行に立設している支柱に設けた下側の受け金具を横桟材の傾きに合わせて回動調整し、上側の受け金具は上下方向にスライド調整し、横桟材の下部に上側と下側の受け金具の先端を係合させてフェンス本体を支柱に取付けるものである。
【０００４】
この従来技術において、下側の受け金具は横桟材の傾きに合わせて回動するので、横桟材の傾きに関わらず、受け金具と横桟材は常に同じ係合状態を保つことができ、横桟材を強固に支柱に取付けることができるものである。
しかしながら、横桟材に受け金具を係合する際、受け金具が容易に回動するため、施工作業者が受け金具の傾きを横桟材に合わせて把持しておかなければならず、フェンス本体の取付け作業が甚だ煩雑なものであった。
一方、上側の受け金具のように回転しない構成とすれば、施工作業者が受け金具の向きを調整する必要は無くなるものの、横桟材に対する受け金具の係合する角度が変化するので、横桟材と係合する受け金具の先端部分を大きくすることができず、横桟材を強固に保持することができないものであった。
【０００５】
さらに、実公平４−９８１５号公報には、支柱の側面に圧接する支承舌部を受け金具に形成し、フェンス本体を支柱に取付ける際、受け金具が容易に下向きに回動しない構成としたものが開示されている。しかしながらこの従来技術においても、受け金具の向きは施工作業者が個々に調整しなければならないため、施工作業者の負担を軽減するものではない。
【０００６】
【発明が解決しようとする課題】
この発明の目的は、フェンス本体の支柱への取付け作業を簡略化し得る傾斜地用フェンスを提供することにある。
【０００７】
【課題を解決するための手段】
本発明者等は、このような事情に鑑み鋭意検討を重ねた結果、縦桟材と横桟材を格子状に枢支連結して縦桟材に対する横桟材の傾きを可変としたフェンス本体を形成し、平行に立設した支柱の一側に受け金具を回動可能に定着し、横桟材の傾きに合わせて受け金具を回動すると共に、受け金具を横桟材の下部に係合してフェンス本体を支柱に取付けた傾斜地用フェンスにおいて、円弧状の回動規制ガイドを受け金具に形成し、両側に支柱の側面と係合する回り止め片と、回動規制ガイドに係合する係合部を形成した回転防止金具を受け金具と共に支柱に定着し、横桟材が水平状態として支柱に取付けられる状態から最大傾斜して支柱に取付けられる状態の範囲内に受け金具の回動範囲を規制したことによって、所期の目的を達成したものである。
【０００８】
【０００９】
円弧状の回動規制ガイドを受け金具に形成し、該回動規制ガイドに係合する係合部を形成した回転防止金具を支柱に定着して受け金具の回動範囲を規制したことにより、支柱の側面を加工して回動規制ガイドあるいは係合部を形成する必要が無く、支柱の強度低下を招くことのない強固な傾斜地用フェンスを得ることができる。
【００１０】
【作用】
この発明によれば、横桟材が水平状態として支柱に取付けられる状態から最大傾斜して支柱に取付けられる状態までの範囲内において受け金具の回動範囲を規制しているので、フェンス本体を取付ける際に受け金具は容易に回動するものの、受け金具が下向きの状態となることはなく、横桟材を受け金具に載置するだけで、受け金具は横桟材の下面に当接してその向きが自然に矯正され、受け金具と横桟材が自然と係合するので、フェンス本体の取付け作業を極めて簡単に行うことができる。
【００１１】
【発明の実施の形態】
以下、発明の実施の形態を実施例に基づき説明する。
図１ないし８は本発明フェンスの実施例であり、図中１はフェンスを表わし、フェンス１は施工場所に平行に立設した金属製の支柱２と、支柱２の一側に取付けられたフェンス本体３により構成されている。
フェンス本体３は金属製の縦桟材３１と横桟材３２とを枠組して形成され、縦桟材３１と横桟材３２はその交差部において、ビスあるいはピン等を介して相互回動自在に枢支連結されている。よって、縦桟材３１に対する横桟材３２の交差角度を自由に調整することができ、フェンス本体３は任意の平行四辺形状に変形可能である。なお、フェンス本体３は複数の縦桟材、横桟材あるいは双方の桟材を密に配設して格子状の主面部を形成しても構わない。
【００１２】
支柱２の一側面における上下部には、金属製の受け金具４が設けられ、受け金具４によってフェンス本体３が支柱２に取付けられている。そして、受け金具４は軸５によって回動自在として支柱２に枢着されている。上側の受け金具４１には、螺子孔４１１が穿設され、螺子孔４１１には支柱２を貫通する螺子軸５１の先端が螺合し、受け金具４１は螺子軸５１を中心に回動可能となっている。螺子孔４１１の上方には、受け金具４１から切り起し形成した係合部４１２が一体的に形成されており、係合部４１２は支柱２に穿設した長孔状の回動規制ガイド２１に係合している。さらに、受け金具４１には横桟係合部４１３が形成され、横桟係合部４１３が上側の横桟材３２１の下部に形成した係合縁３２１Ａと係合している。
【００１３】
下側の受け金具４２には透孔４２１が穿設されており、透孔４２１を挿通する螺子軸５２の先端が支柱２に穿設した螺子孔２２に螺合し、受け金具４２は螺子軸５２を中心として回動自在となっている。受け金具４２の透孔４２１の下方には長孔状の回動規制ガイド４２２が穿設され、上方には横桟係合部４２３が形成されている。そして、横桟係合部４２３は、下側の横桟材３２２の下部に形成した係合縁３２２Ａと係合している。受け金具４２と支柱２の間には回転防止金具６が配設されており、回転防止金具６の中央に穿設された透孔６１に螺子軸５２が挿通され、受け金具４２と共に支柱２に取付けられている。
【００１４】
回転防止金具６の透孔６１の下方には切り起し形成した係合部６２が形成され、係合部６２は受け金具４２の回動規制ガイド４２２と係合している。さらに、回転防止金具６の両側には支柱２の側面と係合する回り止め片６３、６３が形成され、回転防止金具６が螺子軸５２を中心として回動するのを防いでいる。
支柱２の下側の受け金具４２が位置する部分には、長孔状の回動規制ガイド２１は穿設されておらず、支柱２の強度低下を防いでいる。特に、支柱２の下方部分は、フェンス１に入力された荷重が最も集中する部分であるため、この部分の支柱側面に長孔を穿設することは、支柱２の強度低下に繋がる虞があるので、本実施例においては受け金具４２に回動規制ガイド４２２を穿設し、回転防止金具６に係合部６２を形成した。
【００１５】
支柱２の回動規制ガイド２１と、下側の受け金具４２の回動規制ガイド４２２は何れも円弧状の長孔であり、回動規制ガイド２１は螺子軸５１を中心とした円弧状となっており、回動規制ガイド４２２は螺子軸５２を中心とした円弧状となっている。そして円弧状長孔が形成される範囲の中心角は、フェンス１が施工可能な最大傾斜角度の２倍の角度と等しくなっている。
因みに、本実施例におけるフェンスの最大傾斜角度は４０°であり、回動規制ガイド２１、４２２の中心角は８０°となっている。そして、横桟材３２が水平状態として取付けられる際には、受け金具４１の係合部４１２と回転防止金具６の係合部６２は、回動規制ガイド２１、４２２の円弧状長孔の夫々中央部分に位置している。
【００１６】
以上の構成からなる本発明傾斜地用フェンス１を施工順に説明すると、先ず施工場所に支柱２を垂直に立設し、施工場所の傾斜角度に合わせてフェンス本体３を平行四辺形状に変形し、横桟材３２を受け金具４上に架設する。この時、上側の受け金具４１の係合部４１２は回動規制ガイド２１に係合し、下側の受け金具４２の回動規制ガイド４２２には回転防止金具６の係合部６２が係合しているので、受け金具４１，４２の横桟係合部４１３，４２３が下向きに回動することはなく、横桟係合部４１３、４２３は常に上向きとなり、上側の横桟材３２１の係合縁３２１Ａと下側の横桟材３２２の係合縁３２２Ａと夫々当接する。そして、横桟材３２を受け金具４に架設した状態で、横桟材３２の長手方向に沿って僅かに反復移動させると、受け金具４１，４２の横桟係合部４１３，４２３が横桟材３２１，３２２の係合縁３２１Ａ，３２２Ａと確実に係合する。次に螺子軸５１，５２を締め付けて受け金具４を緊締することにより、フェンス本体３が強固に支柱２に取付けられ、フェンス１の施工が完了する。
【００１７】
なお、上記実施例において、回動規制ガイド２１，４２２は円弧状の長孔としたが、係合部４１２，６２と係合して受け金具４１，４２の回動範囲を規制する構成であれば種々の構造が使用でき、窪んだ溝形状としこれに係合部４１２，６２を係合することも可能である。
【００１８】
【発明の効果】
本発明傾斜地用フェンスによれば、フェンス本体の横桟材の下部と係合する受け金具は、横桟材が水平状態として支柱に保持される状態から、横桟材が最大傾斜して支柱に保持される状態までの範囲内において回動規制されているので、受け金具が下向きの状態となることがなく、受け金具の上に横桟材を載置するだけで、受け金具と横桟材を確実に係合し得るので、支柱へのフェンス本体の取付け作業を簡略化することができる。
さらに、円弧状の回動規制ガイドを受け金具に形成し、該回動規制ガイドに係合する係合部を形成した回転防止金具を支柱に定着して受け金具の回動範囲を規制したことにより、支柱の側面を加工して回動規制ガイドあるいは係合部を形成する必要が無く、支柱の強度低下を招くことのない強固な傾斜地用フェンスを得ることができる。
【図面の簡単な説明】
【図１】  本発明傾斜地用フェンスの一部を省略した要部拡大正面図
【図２】  図１におけるＡ−Ａ線断面図
【図３】  本発明傾斜地用フェンスを傾斜して施工した状態を表わす一部省略正面図
【図４】  上側の受け金具を表わす（Ａ）正面図と（Ｂ）側面図
【図５】  下側の受け金具を表わす（Ａ）正面図と（Ｂ）側面図
【図６】  回転防止金具を表わす（Ａ）正面図と（Ｂ）側面図と（Ｃ）底面図
【図７】  本発明傾斜地用フェンスの一部を省略した正面図
【図８】  本発明傾斜地用フェンスの傾斜状態を表わす一部を省略した正面図
【符号の説明】
１      フェンス
２      支柱
３      フェンス本体
４２      受け金具
６      回転防止金具
３１      縦桟材
３２      横桟材
２１，４２２      回動規制ガイド
６２，４１２      係合部
６３ 回り止め片
【図１】
0003739279.tif 000002
【図２】
0003739279.tif 000003
【図３】
0003739279.tif 000004
【図４】
0003739279.tif 000005
【図５】
0003739279.tif 000006
【図６】
0003739279.tif 000007
【図７】
0003739279.tif 000008
【図８】
0003739279.tif 000009